(57)【要約】【課題】サムネイル画像が処理されるときの待ち時間を短縮し得る画像信号処理装置及び画像信号処理方法を提供する。【解決手段】動画ファイル管理モジュールは、動画像を含む動画ファイルを管理する。サムネイルファイル管理モジュールは、前記動画像の一部から作成したサムネイル画像を含むサムネイルファイルを管理する。再生用情報管理モジュールは、前記動画像及びサムネイル画像を再生するために必要な再生用情報を含む再生用情報ファイルを管理する。そして、前記再生用情報にはインデックスが付与されており、前記再生用情報に対応する前記サムネイルファイルのヘッダに前記インデックスに対応する情報が付与されている。【選択図】図１
2011249928.tif 000002
【特許請求の範囲】
【請求項１】
動画像を含む動画ファイルを管理する動画ファイル管理モジュールと、
前記動画像の一部から作成したサムネイル画像を含むサムネイルファイルを管理するサムネイルファイル管理モジュールと、
前記動画像及びサムネイル画像を再生するために必要な再生用情報を含む再生用情報ファイルを管理する再生用情報管理モジュールを有し、
前記再生用情報にはインデックスが付与されており、前記再生用情報に対応する前記サムネイルファイルのヘッダに前記インデックスに対応する情報が付与されていることを特徴とする画像信号処理装置。
【請求項２】
前記サムネイルファイル及び前記動画ファイルのそれぞれのヘッダに、前記インデックスを指定する情報が付与されていることを特徴とする請求項１記載の画像信号処理装置。
【請求項３】
前記再生用情報は、メディアアクセスコントロール情報を含むことを特徴とする請求項１記載の画像信号処理装置。
【請求項４】
前記インデックスを指定する情報は、対応する再生用情報のインデックス番号を含むことを特徴とする請求項１記載の画像信号処理装置。
【請求項５】
前記再生用情報をチェックし、前記動画像またはサムネイル画像を再生するのに適合するものであるか否かをチェックするモジュールを有することを特徴とする請求項３記載の画像信号処理装置。
【請求項６】
動画像を含む動画ファイルを管理する動画ファイル管理モジュールと、前記動画像の一部から作成したサムネイル画像を含むサムネイルファイルを管理するサムネイルファイル管理モジュールと、前記動画像及びサムネイル画像を再生するために必要な再生用情報を含む再生用情報ファイルを管理する再生用情報管理モジュールを有し、
前記再生用情報にはインデックスを付与し、前記再生用情報に対応する前記サムネイルファイルのヘッダに前記インデックスに対応する情報を付与することを特徴とする画像信号処理方法。
【請求項７】
前記サムネイルファイル及び前記動画ファイルのそれぞれのヘッダに、前記インデックスを指定する情報を付与することを特徴とする請求項６記載の画像信号処理方法。
【発明の詳細な説明】
【技術分野】
【０００１】
本発明の実施形態は、画像信号処理装置及び画像信号処理方法に関する。
【背景技術】
【０００２】
テレビジョン受信装置や信号記録再生装置内の画像信号処理装置は、サムネイル画像を処理するサムネイル処理部を有する。サムネイル処理部は、サムネイル画像を作成して、記録装置へ転送する機能を有する。またこのサムネイル処理部は、前記記録装置からサムネイル画像を読出し表示装置へ転送する機能を有する。
【先行技術文献】
【特許文献】
【０００３】
【特許文献１】特開２００７−１３４９１８号公報
【特許文献２】特開２００８−１４１５１６号公報
【発明の概要】
【発明が解決しようとする課題】
【０００４】
サムネイル画像を作成して記録する際、あるいはサムネイル画像を読出して表示を行う際、一度に管理するサムネイル画像の数が多くなると画像信号処理時間が長くなる。そのために利用者にとっては、サムネイル画像が処理されるときの待ち時間が長くなり、その改善が望まれている。
【０００５】
そこで一実施形態では、サムネイル画像が処理されるときの待ち時間を短縮し得る画像信号処理装置及び画像信号処理方法を提供することを目的とする。
【課題を解決するための手段】
【０００６】
一実施形態によれば、動画像を含む動画ファイルを管理する動画ファイル管理モジュールと、前記動画像の一部から作成したサムネイル画像を含むサムネイルファイルを管理するサムネイルファイル管理モジュールと、前記動画像及びサムネイル画像を再生するために必要な再生用情報を含む再生用情報ファイルを管理する再生用情報管理モジュールを有し、前記再生用情報にはインデックスが付与されており、前記再生用情報に対応する前記サムネイルファイルのヘッダに前記インデックスに対応する情報が付与されていることを特徴とする。
【図面の簡単な説明】
【０００７】
【図１】一実施形態が適用された放送受信装置の構成例を示す図である。
【図２】図１の記憶媒体に格納されたファイルの様子を示す図である。
【図３】サムネイルファイルが放送信号受信中に作成されるときのケースと記録媒体から読み出されたときに作成されるケースの例を示すフローチャートである。
【図４】サムネイルファイルが作成されるときの具体的な例を示すフローチャートである。
【図５】動画像が再生されるときの動作を示すフローチャートである。
【図６】サムネイル画像が再生されるときの動作を示すフローチャートである。
【発明を実施するための形態】
【０００８】
以下、実施の形態について、図面を参照して説明する。図１には一実施形態による放送受信装置のブロック構成を示している。チューナ１０１には、放送波あるいはケーブルより高周波信号が入力する。なおチューナ１０１は、デジタル地上放送用、衛星放送用、アナログ放送用などの複数を含む。
【０００９】
チューナ１０１は選局及び番組選択信号に応答して選択したストリーム（番組信号を含む）を復調部１０２に出力する。復調部１０２は、番組信号内から音声情報、画像情報、制御情報などを分離し、分離した音声情報を音声信号処理部１０３へ、分離した画像情報を画像信号処理部１０４に供給する。なお復調部１０２は、PSK（Phase Shift Keying）復調器、OFDM（Orthogonal Frequency Division Multiplexing）復調器、アナログ復調器およびフォーマット変換部の複数を含む。
【００１０】
音声信号処理部１０３は入力した音声情報をデコードし、アナログオーディオ出力をスピーカシステム３０１に出力する。また画像信号処理部１０４は、画像情報をデコードし、デコードした画像信号を表示部４０１に出力する。画像情報のデコード方式としては、例えばMPEG方式が用いられる。
【００１１】
画像信号処理部１０４では、メイン画像信号に対して、オンスクリーンディスプレイ（OSD）処理部１０５からのチャンネル番号画像、文字・記号・図形などの画像を多重することができる。また画像信号処理部１０４ではOSD処理部１０５からの電子番組案内（EPG）情報を利用した番組表などの画像を多重することもできる。さらにまたメニューなどの画像を多重することもできる。
【００１２】
リモコン信号処理部１０６は、リモートコントローラ（以下リモコン）５００からの操作信号を受け付けてコマンドを解釈し、制御部２００に転送する。
【００１３】
電子番組案内（EPG：Electronic Program Guide）情報処理部１１２は、制御部２００の制御の元で、復調部１０２で復調された情報パケットの中からEPG情報を取り込み、保存することができる。このEPG情報は、定期的に更新されている。このEPG情報は、通信モジュール１０９を介して取り込むことも可能である。通信モジュール１０９は、制御部２００の制御の元で、外部のネットワークを介してサーバーとの通信を行うことができる。
【００１４】
上記チューナ１０１、復調部１０２、音声信号処理部１０３、画像信号処理部１０４、OSD処理部１０５、リモコン信号処理部（操作信号処理部）１０６、画像信号記録再生処理部１０７、通信モジュール１０９、EPG情報処理部１１２は、メインバス１１１を介して制御部２００と接続されている。
【００１５】
さらに記録フォーマット変換用のエンコーダ１２１、記録フォーマット逆変換用のデコーダ１２２は、バス１１１を介して復調部１０２、音声信号処理部１０３、画像信号処理理部１０４、制御部２００などと接続されている。記録フォーマットとしては例えばDVD規格やブルーレイ規格がある。
【００１６】
復調部１０２で復調された番組信号は、制御部２００の制御の元で、エンコーダ１２１で符号化され、記録再生処理部１０７により記録媒体１０８（たとえばハードディスク）に記録される。また記録再生処理部１０７により記録媒体１０８から読み出された符号化信号は、制御部２００の制御の元で、デコーダ１２２で復号され、音声情報は音声信号処理部１０３へ、画像情報は画像信号処理部１０４へ供給される。
【００１７】
またサムネイル画像処理部１２３がバス１１１に接続されており、制御部２００の制御の元で、サムネイル画像が作成される。サムネイル画像もエンコーダ１２１で符号化され記録再生処理部１０７を介して記録媒体１０８に記録される。サムネイル画像は、動画像の１つのフレームが縮小処理されることで生成される。
【００１８】
またメモリ１２４がバス１１１に接続されており、画像データなどが処理されるときバッファとして利用される。
【００１９】
制御部２００は、この装置の特有の機能を実行させるための動画ファイル管理モジュール２２１、サムネイル管理モジュール２２２及び再生用情報管理モジュール２２３を含む。
【００２０】
受信した番組の画像信号がエンコーダ１２１で符号化され、記録媒体１０８に格納されるとき、動画ファイル管理モジュール２２１は、符号化された動画像に対応したヘッダを作成し動画ファイルを形成し管理する。これにより、記録媒体１０８には、複数の管理された動画ファイル５０１が格納される。また動画ファイル管理モジュール２２１は、動画ファイルが再生されるとき、動画ファイル管理情報（図示せず）を記録媒体１０８から記録再生部１０７を介して読み取り、動画ファイルの格納位置などを認識する。
【００２１】
またサムネイル画像処理部１２３で生成されたサムネイル画像がエンコーダ１２１で符号化され、記録媒体１０８に格納されるとき、サムネイル管理モジュール２２２は符号化されたサムネイル画像に対応したヘッダを作成しサムネイルファイルを形成し管理する。これにより、記録媒体１０８には、複数の管理されたサムネイルファイル５０２が格納される。またサムネイルファイル管理モジュール２２２は、サムネイルファイルが再生されるとき、サムネイルファイル管理情報（図示せず）を記録媒体１０８から記録再生部１０７を介して読み取り、サムネイルファイルの格納位置などを認識する。
【００２２】
さらに動画ファイルやこの動画ファイルに対応するサムネイルファイルを再生するときに必要となる再生用情報ファイル５０３も生成されて、記録再生処理部１０７を介して記録媒体１０８に格納される。再生用情報ファイルは、再生用情報管理モジュール２２３で作成される。
【００２３】
記録媒体１０８には、再生用情報ファイルが格納され、再生用情報管理モジュール２２３により管理されている。また再生用情報管理モジュール２２３は、再生用情報が再生されるとき、再生用情報管理情報（図示せず）を記録媒体１０８から記録再生部１０７を介して読み取り、再生用情報ファイルの格納位置などを認識する。
【００２４】
記録媒体１０８は、ハードディスクユニットとして放送受信装置に対して内蔵されていてもよいし、着脱自在であってもよいし、ホームネットワークを介して接続されていてもよい。さらには、ハードディスクに限らず、リムーバブルな光ディスク装置、あるいは半導体メモリ装置であってもよい。
【００２５】
図２には、管理された動画ファイル５０１、管理されたサムネイルファイル５０２、管理された再生用情報ファイル５０３の関係を示している。
【００２６】
管理された動画ファイル５０１の例として動画ファイルPF1, PF2,PF3・・・を示している。動画ファイルPF1, PF2,PF3・・・は、それぞれ動画像とヘッダを含む。そして、ヘッダには再生用情報ファイル５０３内のインデックスを特定するための情報（たとえばインデックス番号）が記述されている。
【００２７】
動画ファイルPF1のヘッダには、インデックス（IND1）の番号が記述されている。また動画ファイルPF2のヘッダには、インデックス（IND2）の番号が記述され、動画ファイルPF3のヘッダには、インデックス（IND3）の番号が記述されている。
【００２８】
再生用情報ファイル５０３内の第１の再生用情報ファイルは、インデックス（IND1）と再生用情報（R_INF1）を有し、動画ファイルPF1に対応（関連）している。第２の再生用情報ファイルは、インデックス（IND2）と再生用情報（R_INF2）を有し、動画ファイルPF2に対応（関連）し、第３の再生用情報ファイルは、インデックス（IND3）と再生用情報（R_INF3）を有し、動画ファイルPF3に対応（関連）している。
【００２９】
再生用情報は、対応する動画ファイルの動画像を再生するために必要とされる情報を含む。たとえば、機器固有の情報である対応する放送受信装置（デジタルテレビ）のMAC(media access control；メディアアクセスコントロール)アドレスを含む。MACアドレスは、記録再生装置あるはハードディスクドライブのアドレスであってもよい。なおMACアドレスは、動画像を再生するために必要とされる情報の一例である。
【００３０】
動画ファイルPF1のヘッダには、インデックス（IND1）を特定する情報が記述されており、この関連情報に基づいて、（IND1）に対応する再生用情報（R_INF1）が読み出されチェックされる。このとき、もし再生用情報（R_INF1）内の情報であって動画像を再生するために必要とされる情報（例えば上記MACアドレスを含む情報）が現在の放送受信装置、或いは再生装置に適合しないときは、正常な再生は実行されない。しかし、再生用情報（R_INF1）内の情報が現在の放送受信装置或いは再生装置に適合する内容であるときは、正常な再生が実行される。適合するか否かの判断などには、例えば規格、設定、再生条件などの情報が所定の内容と一致しているか否かを判断した結果を関連させてもよい。設定、再生条件としては、例えば解像度、画像の大きさなどであってもよい。
【００３１】
さらに図２には、管理された管理されたサムネイルファイル502として、動画ファイルPF1の一部を使用して作成したサムネイルファイルSF1を示し、動画ファイルPF2の中から作成したサムネイルファイルSF2，動画ファイルPF3の中から作成したサムネイルファイルSF3を示している。
【００３２】
この例では、サムネイルファイルSF1は、４つのサムネイル画像とそれぞれのサムネイル画像の先頭に付されたヘッダで構成されている。サムネイルファイルSF2は、２つのサムネイル画像とそれぞれのサムネイル画像の先頭に付されたヘッダで構成されている。またサムネイルファイルSF2は、１つのサムネイル画像とそれぞれのサムネイル画像の先頭に付されたヘッダで構成されている。
【００３３】
サムネイルファイルSF1に含まれる４つのヘッダには、それぞれインデックス（IND1）を特定するための情報（インデックス（IND1）の番号）が記述されている。サムネイルファイルSF2に含まれる２つのヘッダには、それぞれインデックス（IND2）を特定するための情報（インデックス（IND2）の番号）が記述されている。サムネイルファイルSF3に含まれるヘッダには、インデックス（IND3）を特定するための情報（インデックス（IND3）の番号）が記述されている。
【００３４】
上記したように動画ファイルと、サムネイルファイルと、再生用情報ファイルが関連付けられている。サムネイルファイルSF1のサムネイル画像が再生されるときは、このサムネイルファイルのたとえばいずれかのヘッダ内のインデックスが読み取られる。そして読み取ったインデックスのインデックス番号（IND1）と同じインデックス番号を有する再生情報ファイルが検出される。そして検出された再生用情報ファイル内の再生用情報(R_INF1)がサムネイル画像を再生するために利用される。ここで、もし再生用情報（R_INF1）内のMACアドレスが現在の放送受信装置のものと異なるときは、正常な再生は実行されない。しかし、再生用情報（R_INF1）内のMACアドレスが現在の放送受信装置を指定しているときは、正常な再生が実行される。
【００３５】
上記した装置によると、サムネイル画像を再生する場合、サムネイルファイルに含まれているヘッダからインデックス番号を取得し、同じインデックス番号を有する再生用情報ファイルを直接検出し、この再生用情報ファイルに含まれる再生用情報を利用している。このためにサムネイル画像の再生が高速に実行される。
【００３６】
サムネイル画像を再生するために、まず、最初に動画像ファイルのヘッダを読み取り、このヘッダ内のインデックス番号を取得し、このインデックス番号に対応する再生用情報を取得し、この再生用情報を用いて、サムネイル画像を再生する手順であると、非常に時間がかかる。再生するサムネイル画像の数が多くなると、サムネイル画像を表示するまでの待ち時間が非常に長くなる。
【００３７】
しかし上記した実施形態であると、サムネイル画像を再生する場合、サムネイルファイルに含まれているヘッダからインデックス番号を直接取得し、同じインデックス番号を有する再生用情報ファイルを検出し、この再生用情報ファイルに含まれる再生用情報を用いてサムネイル画像を表示している。このためにサムネイル画像を表示するまでの時間が短くてすむ。
【００３８】
管理情報が記録媒体１０８から読み出されるときは、以下のように読み出される。まず、ファイル格納位置などを管理する管理情報（例えばファイルシステム）などのデータは、記録再生処理部１０７を介して制御部２００に取り込まれる。次に、管理情報からファイルエントリーポイントが検出され、ファイルエントリーポイントに基づいて、各ファイルの先頭部分が読み出されテンポラルメモリに格納される。つまり、記録媒体１０８に格納されている再生用情報ファイル、動画ファイルのヘッダ、サムネイルのヘッダなどが、記録再生処理部１０７を介して制御部２００に取り込まれる。次に、ヘッダが切り取られ再生用情報との関連性が把握される。これにより、サムネイル画像の再生、動画像の再生のための再生用情報を取得することが可能となる。
【００３９】
次に図３及び図４のフローチャートを参照してサムネイルファイルが作成されるときの動作を説明する。サムネイルファイルが作成されるケースとしては、たとえば動画像が受信されている途中に作成されるケース（図３（A））と、動画像が記録媒体から読み出されて作成されるケース（図３（B））とがある。この実施形態では、動画像が記録媒体から読み出されたとき、対応するサムネイルファイルが存在しない場合は、自動的にサムネイルファイルを作成することができる。
【００４０】
図３（A）は、放送信号を受信中（ステップSA2）にサムネイル作成の指定（ステップSA1）がされていた場合、サムネイルファイルを作成し（ステップSA3）、放送信号受信が終了（ステップSA4）したとき、サムネイルファイル作成を中止する例を示している。この実施形態では、基本的にはサムネイルファイルを作成するが、サムネイルファイル作成が利用者により解除されたときにはサムネイルファイルを作成しない。
【００４１】
図３（B）は、記憶媒体に記録されている動画像に関して、対応するサムネイルファイルが作成されていなかったとき（存在しなかったとき）、新規にサムネイルファイルを作成する例を示している。記録媒体からの信号再生中（ステップSB2）にサムネイル作成の指定（ステップSB1）がされていた場合は、サムネイルファイルを作成し（ステップSB3）、記録媒体からの信号再生が終了（ステップSB4）したとき、サムネイルファイル作成を中止する例を示している。
【００４２】
図４は、サムネイルファイルが作成されるときの動作を説明するためのフローチャートである。サムネイル作成がスタートすると（SC02）、動画像データが取得される（ステップSC03）。
【００４３】
動画像データは、放送受信中の動画像データ場合、記録媒体に記録するための動画像符号化処理（ステップSC1）が実行される。動画像データが符号化されるとき使用された情報は、当該動画像データが再生されるときに復号用としても使用される。この情報が再生用情報である。したがって、このとき再生用情報作成、再生用情報に対するインデックス設定も行われる（ステップSC21）。
【００４４】
次に対応するインデックス（たとえばインデックス番号）は、動画像のヘッダにも挿入される（ステップSC2）。たとえば、１つのプログラム（番組）の動画像データの処理が終わると、動画像（符号化されている）及びヘッダを動画ファイルとして整えて（ステップSC3）、管理された動画ファイル領域に保存する（ステップSC4）。
【００４５】
上記のように動画ファイルが作成されている途中に、サムネイル画像も作成される（ステップSC11）。サムネイル画像データも、動画の1フレーム分が縮小され、符号化されることにより作成されている。符号化に際して符号化のために使用される情報は、対応する動画像データが符号化されるときと同じ情報じである。したがって、サムネイル画像データが復号されるとき使用される復号化のための再生用情報は、対応する動画像データが再生されるときの再生用情報と同じである。このため、この再生用情報に付されているインデックス番号が、サムネイル画像のヘッダにも使用される（ステップSC12）。
【００４６】
インデックスが付されたサムネイル画像は、サムネイルファイルとして整えられて（ステップSC13）、管理されたサムネイルファイル領域へ保存される（ステップSC14）。
【００４７】
サムネイル画像は、１つのプログラム（１つの動画ファイル）に対して1個でもよく、複数が作成されてもよい。サムネイル画像が複数作成される場合、一定時間毎（例えば20分）に作成、あるいは一定時間（例えば15分）経過後シーンチェンジがあったときに作成など装置で独自に設定してよい。または、上記の時間はサムネイル作成設定メニューで調整できるようにしてもよい。したがってサムネイルファイルの作成を設定するためのメニュー画像が得られたとき、このメニュー画像でサムネイル画像の数や、作成時間間隔などを任意に設定できるようにしてもよい。また再生用情報を利用者が任意に設定あるいはメニューから選択できるようにしてもよい。
【００４８】
上記のように動画ファイルと、この動画ファイルに対応するサムネイルファイルとが作成され、保存されたとき、対応する再生用情報及びインデックスもファイルとして整えられ（ステップSC22）、管理された再生用情報ファイル領域へ保存される。
【００４９】
図５は動画ファイルが再生されるときの動作を示すフローチャートである。再生すべき動画ファイルが指定される（ステップSD1,SD2）。動画ファイルが指定されると、動画ファイル管理モジュール２２１の制御に基づいて、指定された動画ファイルのヘッダが読み取られ（ステップSD2）、さらにヘッダに記述されているインデックスが取得される（ステップSD3）。読み取ったインデックスにはインデックス番号が含まれるので、再生用情報ファイル内の対応するインデックスが検出される（ステップSD4）。次に検出したインデックスに対応した再生用情報が取得される（ステップSD5）。そして取得した再生用情報に基づいて、指定されている動画ファイルの動画像が記録媒体１０８から読み出されて記録再生処理部１０７で復号される（ステップSD6）。動画ファイルの再生終了の指示があると、再生が終了する（SD7）。
【００５０】
動画ファイルの動画像が記録再生処理部１０７で復号される前に、再生用情報が動画像を再生するために必要な情報であるかどうかの適合性をチェックするモジュールを有してもよい。このモジュールでは例えばMACアドレスが適切なものであるかどうかチェックされる。ここで不適合なものであった場合、動画像の再生処理が中止される（ステップSD8）。このとき当該動画像の再生ができないことのメッセージが出力されてもよい。
【００５１】
図６はサムネイルファイルが再生されるときの動作を示すフローチャートである。サムネイル再生の指定があると（ステップSG1,SG2）、サムネイルファイル管理モジュール２２２の制御に基づいて、各サムネイルファイルのヘッダが読み取られる（ステップSG3）。読み取ったヘッダ内のインデックスが取得される（ステップSG4）。次に、読み取ったインデックスにはインデックス番号が含まれるので、再生用情報ファイル内の対応するインデックスが検出される（ステップSG5）。
【００５２】
次に検出したインデックスに対応した再生用情報が取得される（ステップSG6）。そして取得した再生用情報に基づいて、処理中のサムネイルファイルの画像が記録媒体１０８から読み出されて記録再生処理部１０７で復号される（ステップSG7）。サムネイルの再生終了指示があると、再生が終了する（SG8）。
【００５３】
サムネイル画像が記録再生処理部１０７で復号される前に、再生用情報がサムネイル画像を再生するために必要な情報であるかどうかの適合性をチェックするモジュールを有してもよい。このモジュールでは例えばMACアドレスが適切なものであるかどうかチェックされる。ここで不適合なものであった場合、サムネイル画像の再生処理が中止される（ステップSG9）。このとき当該サムネイル画像の再生ができないことのメッセージが出力されてもよい。
【００５４】
上記の説明では、再生用情報が再生用情報管理モジュール２２３の制御に基づいて、記録再生処理部１０７で用いられると説明したが、エンコーダ１２１、デコーダ１２２で用いるようにしてもよい。つまりエンコード・デコードのために用いられるようにしてもよい。
【符号の説明】
【００５５】
１０１・・・チューナ、１０２・・・復調部、１０３・・・音声信号処理部、１０４・・・映像信号処理部、１０５・・・OSD処理部、１０６・・・リモコン信号処理部、１０７・・・記録再生処理部、１０８・・・記録媒体、１０９・・・通信モジュール、１２１・・・エンコーダ、１２２・・・デコーダ、２００・・・制御部、２２１・・・動画ファイル管理モジュール、２２２・・・サムネイルファイル管理モジュール、２２３・・・再生用情報管理モジュール。
【図１】
2011249928.tif 000003
【図２】
2011249928.tif 000004
【図３】
2011249928.tif 000005
【図４】
2011249928.tif 000006
【図５】
2011249928.tif 000007
【図６】
2011249928.tif 000008
【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
動画像を含む動画ファイルを管理する動画ファイル管理モジュールと、
前記動画像の一部から作成したサムネイル画像を含むサムネイルファイルを管理するサムネイルファイル管理モジュールと、
前記動画像及びサムネイル画像を再生するために必要な再生用情報を含む再生用情報ファイルを管理する再生用情報管理モジュールを有し、
前記再生用情報にはインデックスが付与されており、前記再生用情報に対応する前記サムネイルファイル及び前記動画ファイルのヘッダに前記インデックスに対応する情報が付与され、
前記サムネイルファイルに含まれる前記インデックスに対応する情報を用いて、当該情報に対応するインデックスが付与されている再生用情報ファイルを検出し、当該再生用情報ファイルに含まれる再生用情報を用いてサムネイル画像を再生するサムネイル画像再生モジュールと
を備えることを特徴とする画像信号処理装置。
【請求項２】
前記再生用情報は、メディアアクセスコントロール情報を含むことを特徴とする請求項１記載の画像信号処理装置。
【請求項３】
前記インデックスに対応する情報は、再生用情報のインデックス番号を含むことを特徴とする請求項１記載の画像信号処理装置。
【請求項４】
前記再生用情報をチェックし、前記動画像またはサムネイル画像を再生するのに適合するものであるか否かをチェックするモジュールを有することを特徴とする請求項２記載の画像信号処理装置。
【請求項５】
動画像を含む動画ファイルを管理する動画ファイル管理モジュールと、前記動画像の一部から作成したサムネイル画像を含むサムネイルファイルを管理するサムネイルファイル管理モジュールと、前記動画像及びサムネイル画像を再生するために必要な再生用情報を含む再生用情報ファイルを管理する再生用情報管理モジュールを有し、
前記再生用情報にはインデックスを付与し、前記再生用情報に対応する前記サムネイルファイル及び前記動画ファイルのヘッダに前記インデックスに対応する情報を付与し、
前記サムネイルファイルに含まれる前記インデックスに対応する情報を用いて、前記再生用情報ファイル内の対応するインデックスを検出し、当該検出したインデックスに対応した再生用情報を用いてサムネイル画像を再生することを特徴とする画像信号処理方法。
【請求項６】
前記再生用情報は、メディアアクセスコントロール情報を含むことを特徴とする請求項５記載の画像信号処理方法。
【請求項７】
前記インデックスに対応する情報は、再生用情報のインデックス番号を含むことを特徴とする請求項５記載の画像信号処理方法。
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
動画像を含む動画ファイルを管理する動画ファイル管理モジュールと、
前記動画像の一部から作成したサムネイル画像を含むサムネイルファイルを管理するサムネイルファイル管理モジュールと、
前記動画像及びサムネイル画像を再生するために必要であってインデックスが付された再生用情報を含む再生用情報ファイルを管理する再生用情報管理モジュールを有し、
前記再生用情報に対応している前記サムネイルファイル及び前記動画ファイルのヘッダには前記インデックスに対応する情報が付与され、
前記サムネイルファイルの再生が指示された場合、当該サムネイルファイルのヘッダに含まれる前記インデックスに対応するインデックスが付与されている再生用情報ファイルを検出し、当該再生用情報ファイルに含まれる再生用情報を用いて前記サムネイルファイルの画像を再生するサムネイル画像再生モジュールと
を備えることを特徴とする画像信号処理装置。
【請求項２】
前記再生用情報は、前記サムネイルの画像を再生すべき機器の固有の情報であるメディアアクセスコントロール情報を含むことを特徴とする請求項１記載の画像信号処理装置。
【請求項３】
前記インデックスに対応する情報は、再生用情報のインデックス番号を含むことを特徴とする請求項１記載の画像信号処理装置。
【請求項４】
前記再生用情報に含まれる再生条件を示す情報をチェックし、この情報が前記動画像またはサムネイル画像を再生するのに適合する所定のものであるか否かを判定するモジュールを有することを特徴とする請求項２記載の画像信号処理装置。
【請求項５】
動画像を含む動画ファイルを管理する動画ファイル管理モジュールと、前記動画像の一部から作成したサムネイル画像を含むサムネイルファイルを管理するサムネイルファイル管理モジュールと、前記動画像及びサムネイル画像を再生するために必要であってインデックスが付された再生用情報を含む再生用情報ファイルを管理する再生用情報管理モジュールを有し、
前記再生用情報に対応している前記サムネイルファイル及び前記動画ファイルのヘッダには前記インデックスに対応する情報を付与し、
前記サムネイルファイルの再生が指示された場合、当該サムネイルファイルのヘッダに含まれる前記インデックスに対応するインデックスが付与されている再生用情報ファイルを検出し、当該再生用情報ファイルに含まれる再生用情報を用いて前記サムネイルファイルの画像を再生することを特徴とする画像信号処理方法。
【請求項６】
前記再生用情報は、前記サムネイルの画像を再生すべき機器の固有の情報であるメディアアクセスコントロール情報を含むことを特徴とする請求項５記載の画像信号処理方法。
【請求項７】
前記インデックスに対応する情報は、再生用情報のインデックス番号を含むことを特徴とする請求項５記載の画像信号処理方法。
【手続補正２】
【補正対象書類名】明細書
【補正対象項目名】０００６
【補正方法】変更
【補正の内容】
【０００６】
一実施形態によれば、動画像を含む動画ファイルを管理する動画ファイル管理モジュールと、前記動画像の一部から作成したサムネイル画像を含むサムネイルファイルを管理するサムネイルファイル管理モジュールと、前記動画像及びサムネイル画像を再生するために必要であってインデックスが付された再生用情報を含む再生用情報ファイルを管理する再生用情報管理モジュールを有し、前記再生用情報に対応している前記サムネイルファイル及び前記動画ファイルのヘッダには前記インデックスに対応する情報が付与され、前記サムネイルファイルの再生が指示された場合、当該サムネイルファイルのヘッダに含まれる前記インデックスに対応するインデックスが付与されている再生用情報ファイルを検出し、当該再生用情報ファイルに含まれる再生用情報を用いて前記サムネイルファイルの画像を再生するサムネイル画像再生モジュールを備える。